(57)【要約】【課題】光源から受ける光や熱の影響を少なくでき、使い勝手が向上する洗面台の照明構造を提供する。【解決手段】鏡１２が装着された洗面台本体１１と、この洗面台本体１１に設けられる光源１３と、洗面台本体１１に設けられ光源１３の前面を遮蔽する遮蔽部材１５とを備えた洗面台１０とし、遮蔽部材１５と洗面台本体１１との間に、上下方向に連通する空間部Ｓを形成する。そのため、洗面台の使用に際して、光源からの光が遮蔽部材で遮蔽されて直接顔に当たらず、鏡を経由しての間接照明となるので、光源から受ける光や熱の影響を少なくでき、まぶしくない上に、熱くなくて、使い勝手が向上する。また、空間部が形成されているので、光源からの熱が上方に逃げやすく、光源から受ける熱の影響を少なくできる。【選択図】  図１
2004173915.tif 000002
【特許請求の範囲】
【請求項１】
鏡が装着された洗面台本体と、この洗面台本体に設けられる光源と、前記洗面台本体に設けられ前記光源からの光を遮蔽する遮蔽部材とを備え、この遮蔽部材と前記洗面台本体との間には上下方向に解放する解放空間部が形成されていることを特徴とする洗面台の照明構造。
【請求項２】
請求項１に記載の洗面台の照明構造において、前記光源は前記洗面台本体の上部でかつ平均的大人の肩幅より広い位置に設けられていることを特徴とする洗面台の照明構造。
【請求項３】
請求項１または請求項２に記載の洗面台の照明構造において、前記洗面台本体の上部かつ左右両側には当該洗面台本体の前記鏡が装着された平坦面から前方に突出した突出部が設けられ、前記遮蔽部材は半透明部材で形成されるとともに、前記左右の突出部間にわたって設けられ、前記光源は前記左右の突出部間にわたって設けられていることを特徴とする洗面台の照明構造。
【請求項４】
請求項３に記載の洗面台の照明構造において、前記遮蔽部材は、前面部とこの前面部の下端に設けられ前記解放空間部側に屈曲する底面部とを含み形成されていることを特徴とする洗面台の照明構造。
【請求項５】
請求項４に記載の洗面台の照明構造において、前記遮蔽部材の前面部の内面には、前記光源からの光を前記鏡側に反射する反射部材が設けられていることを特徴とする洗面台の照明構造。
【請求項６】
請求項３ないし請求項５のいづれかに記載の洗面台の照明構造において、前記各突出部は、互いに対向しかつそれぞれの前端に至る仕切面部を有するとともに、前記前端から前記洗面台本体の左右方向外側にわたる箱状に形成され、前記光源は、前記仕切面部に一部を埋め込んで互いに向き合って取り付けられていることを特徴とする洗面台の照明構造。
【請求項７】
請求項３ないし請求項５のいづれかに記載の洗面台の照明構造において、前記各突出部は、それぞれの前端から前記洗面台本体の左右方向外側にわたる箱状に形成され、これらの箱状突出部の内部に前記光源が取り付けられ、前記箱状突出部の内面には、前記光源からの光を前記鏡側に反射する反射部材が設けられていることを特徴とする洗面台の照明構造。
【発明の詳細な説明】
【０００１】
【発明の属する技術分野】
本発明は、洗面台の照明構造に関する。
【０００２】
【背景技術】
ミラーを備えた洗面化粧台が知られている（例えば、特許文献１参照）。
この洗面化粧台では、その上部左右の位置かつミラーの上方に、自然灯式のような照明灯がむき出しの状態で設けられている。
【０００３】
【特許文献１】
特開平５−１７４９７７号公報（［００１０］、図２参照）
【０００４】
【発明が解決しようとする課題】
しかし、前記洗面化粧台では、照明灯がミラーの上部にむき出しの状態で設けられているので、化粧等するときに灯りをつけたとき、それほど明るい照明灯でなくても照明灯からの光が直接顔に当たり、まぶしくて鏡を見づらい上に、照明灯からの熱が顔等に当たって熱くなり、特に夏等は使いにくいという問題がある。また、明るい照明灯を使用した場合は、一層まぶしすぎてより使いにくい。
さらに、照明灯はミラーの上部にむき出しの状態で取り付けられているので、見映えが悪いという問題もある。
【０００５】
本発明の目的は、光源から受ける光や熱の影響を少なくでき、使い勝手が向上する洗面台の照明構造を提供することにある。
【０００６】
【課題を解決するための手段】
請求項１に記載の発明は、図面を参照して説明すると、図１に示すように、鏡１２が装着された洗面台本体１１と、この洗面台本体１１に設けられる光源１３と、前記洗面台本体１１に設けられ前記光源１３の前面を遮蔽する遮蔽部材１５とを備え、この遮蔽部材１５と前記洗面台本体１１との間には上下方向に解放する解放空間部Ｓが形成されていることを特徴とする洗面台の照明構造である。
【０００７】
このような本発明によれば、洗面台の使用に際して、光源からの光が遮蔽部材で遮蔽されて直接顔に当たらず、鏡を経由しての間接照明となるので、光源から受ける光や熱の影響を少なくでき、まぶしくない上に、熱くなくて使い勝手が向上する。
また、遮蔽部材と洗面台本体との間に上下方向に解放する解放空間部が形成されているので、光源からの熱が上方に逃げ、その結果、光源から受ける熱の影響を少なくできて使い勝手が向上する。
【０００８】
この発明において、光源の前面を遮蔽する遮蔽部材としては、光源からの光を一部透過するような、例えば乳白色の合成樹脂や遮光フィルム等を使用することが好ましいが、光源の前面の光を全く透過させないものを含むものである。また、光源としては、真空電球やガス入り電球等の白熱電球が好ましいが、蛍光灯等の放電灯を使用してもよい。
【０００９】
請求項２に記載の発明は、図１に示すように、請求項１に記載の洗面台の照明構造において、前記光源１３は前記洗面台本体１１の上部でかつ平均的大人の肩幅より広い位置に設けられていることを特徴とするものである。
このような本発明によれば、顔の両側からの光源の光により照らされるので、映りがよくなる。
【００１０】
請求項３に記載の発明は、図面を参照して説明すると、図１に示すように、請求項１または請求項２に記載の洗面台の照明構造において、前記洗面台本体１１の上部かつ左右両側には当該洗面台本体１１の前記鏡１２が装着された平坦面１１Ｃから前方に突出した突出部１１Ａが設けられ、前記遮蔽部材１５は半透明部材で形成されるとともに、前記左右の突出部１１Ａ間にわたって設けられ、前記光源１３は前記左右の突出部１１Ａ間にわたって設けられていることを特徴とするものである。
このような本発明によれば、遮蔽部材を左右の突出部間にわたって取り付ければよいので、遮蔽部材の取り付けを容易にできる。また、遮蔽部材が半透明部材で形成されているので、光源からの光が透過して間接照明として前方に届き、周囲を柔らかな光で覆うことができる。
【００１１】
請求項４に記載の発明は、図２に示すように、請求項３に記載の洗面台の照明構造において、前記遮蔽部材１５は、前面部１５Ａとこの前面部１５Ａの下端に設けられ前記解放空間部Ｓ側に屈曲する底面部１５Ｂとを含み形成されていることを特徴とするものである。
このような本発明によれば、洗面台の前方下方から見上げたとき、光源が底面部により隠れるので、まぶしくなく、また、見映えがよい。
【００１２】
請求項５に記載の発明は、図３に示すように、請求項４に記載の洗面台の照明構造において、前記遮蔽部材２５の前面部２５Ａの内面には、前記光源１３からの光を前記鏡１２側に反射する反射部材２６が設けられていることを特徴とするものである。
このような本発明によれば、光源からの光が反射部材で反射された後、鏡でさらに反射されるので、間接照明であっても、明るさを維持できる。
【００１３】
請求項６に記載の発明は、図４に示すように、請求項３ないし請求項５のいづれかに記載の洗面台の照明構造において、前記各突出部３１Ａは、互いに対向しかつそれぞれの前端に至る仕切面部３１Ｂを有するとともに、前記前端から前記洗面台本体３１の左右方向外側にわたる箱状に形成され、前記光源１３は、前記仕切面部３１Ｂに一部を埋め込んで互いに向き合って取り付けられていることを特徴とするものである。
【００１４】
このような本発明によれば、光源が突出部の互いに対向する仕切面部に、互いに向き合って取り付けられているので、光が中央側に集まりやすく、顔の両側を映し出しやすくなって見やすくなり、使い勝手が向上する。
また、光源に接続する電気配線を箱状の突出部内に収容することができ、突出部の内部空間を有効利用できる。
【００１５】
請求項７に記載の発明は、図５に示すように、請求項３ないし請求項５のいづれかに記載の洗面台の照明構造において、前記各突出部４１Ａは、それぞれの前端から前記洗面台本体４１の左右方向外側にわたる箱状に形成され、これらの箱状突出部４１Ａの内部に前記光源１３が取り付けられ、前記箱状突出部４１Ａの内面には、前記光源１３からの光を前記鏡１２側に反射する反射部材４６が設けられていることを特徴とするものである。
このような本発明によれば、光源からの光が反射部材で反射された後、鏡でさらに反射されるので、間接照明であっても、明るさを維持できる。また、光源が箱状突出部の内部に設けられており、物がぶつかったりしにくいので、光源を保護できる。
【００１６】
【発明の実施の形態】
以下に、本発明に係る洗面台の照明構造の実施形態を、図面に基づいて説明する。
図１、図２には、第１実施形態の洗面台１０が示されている。この洗面台１０は、所定厚さを有し平面ほぼ矩形状の洗面台本体１１を備えている。洗面台本体１１には、幅方向中央部に、上下方向に延びる鏡１２が設けられている。
また、洗面台本体１１の上部左右両端には、鏡１２の表面から前面側に突出した箱状突出部１１Ａが設けられている。
【００１７】
箱状突出部１１Ａは、その前端部から洗面台本体１１の両側面に向かって細くなる傾斜部１１Ｂを有し、デザイン的にすっきりした形状になっている。そして、このような洗面台本体１１は、釘打ち等により、図２に示すように、洗面室内の所定の壁１００に固定されるようになっている。
【００１８】
このような洗面台本体１１において両側の箱状突出部１１Ａの間には、光源である白熱電球１３が設けられている。この白熱電球１３は、洗面台本体１１の上部平坦面部１１Ｃに埋め込まれたソケット１４に着脱可能に装着されている。
ここで、白熱電球１３は、平均的大人の肩幅より広い位置に設けられ、洗面台１０を使用する人の顔の両側から光が当たるようになっている。
【００１９】
以上のような箱状突出部１１Ａの前面部間には、白熱電球１３からの光を遮蔽する遮蔽部材である前面カバー１５が設けられており、この前面カバー１５と洗面台本体１１の表面との間には、上下に解放する解放空間部Ｓが形成されている。また、前面カバー１５は、例えば、乳白色のプラスチックで形成され半透明となっており、接着等で取り付けられている。なお、前面カバー１５を遮光フィルムで形成してもよい。
【００２０】
前面カバー１５は、図２に示すように、前面部１５Ａと、この前面部１５Ａの下端に前記解放空間部Ｓ側に屈曲された底面部１５Ｂとを有し、断面ほぼＬ字状に形成されている。そして、底面部１５Ｂの先端と、前記上部平坦面１１Ｃとの間には所定間隔Ｌが形成されている。従って、前記解放空間部Ｓのうち、所定間隔Ｌの部位が上下方向に連通していることになる。なお、所定間隔Ｌは、白熱電球１３からの光が直接人の目に届かないような寸法に設定されている。
【００２１】
図１に示すように、洗面台本体１１の鏡１２の一方側で、例えば高さ方向ほぼ中央位置には、前方に突出した台部１１Ｄが設けられ、この台部１１Ｄにはコンセント１６およびスイッチ１７が設けられている。また、台部１１Ｄには、例えばシェーバ等を収納する容器１８が着脱可能に取り付けられている。さらに、洗面台本体１１の鏡１２の両側には、化粧道具、洗面道具等を収納する他の容器１８が着脱可能に取り付けられている。
【００２２】
以上のような構成の洗面台１０を使用する際に、白熱電球１３を点灯させると、白熱電球１３からの光は、一部が前面カバー１５を透過して間接照明となって周囲を照らし、一部は鏡１２で反射されて間接照明となって使用者を照らす。
【００２３】
このような実施形態によれば、次のような効果がある。
（１）  洗面台１０の使用に際して、白熱電球１３からの光が前面カバー１５で遮蔽されるので直接顔に当たらず、鏡１２で反射されての間接照明として顔を照らすので、白熱電球１３から受ける光や熱の影響を少なくでき、まぶしくない上に、熱くなくて使い勝手が向上する。
（２）  前面カバー１５と洗面台本体１１との間に上下方向に解放する解放空間部Ｓが形成されているので、白熱電球１３からの熱が上方に逃げ、その結果、白熱電球１３から受ける熱の影響を少なくできて使い勝手が向上する。
【００２４】
（３）  白熱電球１３は、洗面台本体１１の上部でかつ平均的大人の肩幅より広い位置に設けられているので、顔の両側から光で照らされるので、映りがよくなる。
（４）  前面カバー１５の取り付けは、左右の突出部１１Ａ間にわたして行えばよいので、取り付けを容易にできる。
【００２５】
（５）  前面カバー１５が乳白色のプラスチック等の半透明部材で形成されているので、白熱電球１３からの光が一部透過して間接照明として前方を照らし、周囲を柔らかな光で覆うことができる。
（６）  前面カバー１５は、前面部１５Ａとこの前面部１５Ａの下端に設けられた底面部１５Ｂとを含み形成されているので、洗面台１０の前方下方から見上げたとき、白熱電球１３が底面部１５Ｂにより隠れるので、まぶしくなく、また、見映えがよい。
【００２６】
図３には、本発明の第２実施形態が示されている。
この第２実施形態の洗面台２０は、前面カバー２５の内部に反射部材２６を設けた構造である。この第２実施形態および以下の他の実施形態において、前記第１実施形態の部材と同じ部材には、同一符号を付すとともに、その詳細な説明は省略または簡略化する。
【００２７】
この実施形態の洗面台２０における箱状突出部２１Ａは、前記第１実施形態の箱状突出部１１Ａと同様に、洗面台本体２１の上部かつ左右両側に設けられており、これらの箱状突出部２１Ａ間にわたって遮蔽部材である前面カバー２５が設けられている。
【００２８】
この前面カバー２５は、前面部２５Ａと、この前面部２５Ａの下端に前記解放空間部Ｓ側に屈曲された底面部２５Ｂとを有し、断面ほぼＬ字状に形成されている。また、前面部２５Ａは、その上端に対して下端が鏡１２から離れる方向に傾斜しており、このような前面部２５Ａの内面に鏡等からなる反射部材２６が設けられている。この反射部材２６は、白熱電球１３から反射した光が反射部材２６で反射された後、鏡１２に向かう向きに設けられている。なお、白熱電球１３は、洗面台本体２１の上部平坦面２１Ｃに、ソケット１４を介して設けられている。
【００２９】
以上のような構成の洗面台２０を使用すると、白熱電球１３からの光は、一部が前面カバー２５の底面部２５Ｂを透過して間接照明となって使用者を照らし、一部は反射部材２６で反射され、さらに鏡１２で反射されて間接照明となって使用者を照らす。
【００３０】
このような実施形態によれば、前記（５）  を除く（１）  〜（６）  と同様の効果の他、次のような効果がある。
（７）  前面カバー２５の前面部２５Ａの内面には、反射部材２６が設けられているので、白熱電球１３からの光が反射部材２６で反射された後、鏡１２側に反射された後、鏡１２でさらに反射されるので、間接照明であっても、明るさを維持できる。
【００３１】
図４には、本発明の第３実施形態が示されている。
この実施形態の洗面台３０は、白熱電球１３を箱状突出部３１Ａの互いに対向する仕切面部３１Ｂに互いに向き合わせて設けたものである。
すなわち、洗面台３０における箱状突出部３１Ａは、洗面台本体３１の上部かつ左右両側に設けられており、これらの箱状突出部３１Ａ間にわたって遮蔽部材である前面カバー３５が設けられている。
【００３２】
この前面カバー３５は、前面部３５Ａと、この前面部３５Ａの下端に前記解放空間部Ｓ側に屈曲された底面部３５Ｂとを有し、断面ほぼＬ字状に形成されている。各箱状突出部３１Ａの対向する内側にはそれぞれ仕切面部３１Ｂが設けられ、これらの仕切面部３１Ｂには、洗面台本体３１の左右両端側に後退する凹部３１Ｃが形成され、この凹部３１Ｃには外側に向かってソケット部３１Ｄが形成されている。そして、このソケット部３１Ｄに白熱電球１３が着脱可能に取り付けられている。白熱電球１３は、ねじ込み部に近い一部を凹部３１Ｃ内に収納した状態で取り付けられている。
【００３３】
このような実施形態によれば、前記（１）  〜（６）  と同様の効果の他、次のような効果がある。
（８）  白熱電球１３が、箱状突出部３１Ａの互いに対向する仕切面部３１Ｂに互いに向き合って取り付けられているので、白熱電球１３からの光が中央側に集まりやすく、顔の両側を映し出しやすくなって見やすくなり、使い勝手が向上する。
（９）  白熱電球１３に接続する電気配線を箱状突出部３１Ａ内に収容することができ、箱状突出部３１Ａの内部空間を有効利用できる。
【００３４】
図５には、本発明の第４実施形態が示されている。
この実施形態は、前記白熱電球１３を、箱状突出部４１Ａの内部に設けるとともに、箱状突出部４１Ａの内面に反射部材４６を設けたものである。
すなわち、洗面台４０の箱状突出部４１Ａは、洗面台本体４１の上部かつ左右両側に設けられており、各箱状突出部４１Ａの対向する内側部はそれぞれ開口されている。そして、このような各箱状突出部４１Ａの傾斜部４１Ｂの内面には、鏡等からなる前記反射部材４６が設けられ、この反射部材４６は、白熱電球１３からの光を鏡１２に反射するように向きが決められている。
【００３５】
各箱状突出部４１Ａ内において、洗面台本体４１の平坦面４１Ｃには、前記ソケット１４が設けられ、このソケット１４に白熱電球１３が反射部材４６側に向いて着脱可能に取り付けられている。従って、白熱電球１３からの光は、反射部材４６で反射されて鏡１２に向かい、鏡１２で再度反射されることになる。
【００３６】
このような実施形態によれば、前記（５）  を除く（１）  〜（７）  と同様の効果の他、次のような効果がある。
（１０）白熱電球１３が箱状突出部４１Ａの内部に設けられており、物がぶつかったりしにくいので、白熱電球１３を保護できる。
【００３７】
なお、本発明は前記各実施形態に限定されるものではなく、本発明の目的を達成できるものであれば、次のような変形形態でもよいものである。
例えば、前記第１、第３実施形態では、遮蔽部材としての前面カバー１５，３５を断面Ｌ字状に形成し、白熱電球１３の光が前面および下方から直接、顔、目に届かないようになっているが、これに限らない。例えば図６に示すように、平板状の前面カバー５５を用い、この前面カバー５５を、白熱電球１３の光が直接目に入らないように、上部を鏡１２から遠くに離し、下部を鏡１２に近くなるように斜めに設けてもよい。このような変形形態では、前面カバー５５が１枚ものでよいので、製作が容易であるという効果が得られる。
【００３８】
また、前記第１、第３実施形態では、前面カバー１５を前面部１５Ａと底面部１５Ｂとで断面Ｌ字状に形成したが、これに限らず、断面Ｌ字状に沿った緩やかな湾曲形状に形成してもよい。
【００３９】
また、前記第２実施形態では、前面カバー２５を、乳白色のプラスチック部材等の半透明部材で断面Ｌ字状に形成し、内面に反射部材２６を設けたが、反射部材２６が設けられており、白熱電球１３からの光は前面カバー２５を透過することはないので、前面カバー２５を半透明部材で形成しなくてもよい。しかし、この場合でも、前面カバーの下辺部は間接照明となるように半透明部材で形成することが好ましい。
【００４０】
【発明の効果】
以上に説明したように、請求項１の発明によれば、洗面台の使用に際して、光源からの光が遮蔽部材で遮蔽されて直接顔に当たらず、鏡を経由しての間接照明となるので、光源から受ける光や熱の影響を少なくでき、まぶしくない上に、熱くなくて、使い勝手が向上する。
また、遮蔽部材と洗面台本体との間に上下方向に解放する解放空間部が形成されているので、光源からの熱が上方に逃げやすく、その結果、光源から受ける熱の影響を少なくできる。
【００４１】
請求項２に記載の発明によれば、光源が洗面台本体の上部でかつ平均的大人の肩幅より広い位置に設けられており、顔の両側からの光源の光により照らされるので、映りがよくなる。
【００４２】
請求項３に記載の発明によれば、遮蔽部材を左右の突出部間にわたって取り付ければよいので、遮蔽部材の取り付けを容易にできる。また、遮蔽部材が半透明部材で形成されているので、光源からの光が透過して間接照明として前方に届き、周囲を柔らかな光で覆うことができる。
【００４３】
請求項４に記載の発明によれば、遮蔽部材が、前面部とこの前面部の下端に設けられた底面部Ｂとを含み形成されているので、洗面台の前方下方から見上げたとき、光源が底面部により隠れるので、まぶしくなく、また、見映えがよい。
【００４４】
請求項５に記載の発明によれば、光源からの光が、遮蔽部材の前面部の内面に設けられた反射部材で反射された後、さらに鏡で反射されるので、間接照明であっても、明るさを維持できる。
【００４５】
請求項６に記載の発明によれば、光源が突出部の互いに対向する仕切面部に互いに向き合って取り付けられているので、光が中央側に集まりやすく、顔の両側を映し出しやすくなって見やすくなり、使い勝手が向上する。
また、光源に接続する電気配線を箱状の突出部内に収容することができ、突出部の内部空間を有効利用できる。
【００４６】
請求項７に記載の発明によれば、箱状突出部の内面に、光源からの光を鏡側に反射する反射部材が設けられているので、光源からの光が反射部材で反射された後、鏡でさらに反射される。その結果、間接照明であっても、明るさを維持できる。また、光源が箱状突出部の内部に設けられており、物がぶつかったりしにくいので、光源を保護できる。
【図面の簡単な説明】
【図１】本発明に係る洗面台の照明構造の第１実施形態を示す斜視図である。
【図２】前記実施形態の洗面台の使用状態を示す縦断面図である。
【図３】本発明に係る洗面台の照明構造の第２実施形態を示す縦断面図である。
【図４】本発明に係る洗面台の照明構造の第３実施形態を示す横断面図である。
【図５】本発明に係る洗面台の照明構造の第４実施形態を示す横断面図である。
【図６】本発明に係る洗面台の照明構造の変形形態を示す縦断面図である。
【符号の説明】
１０，２０，３０，４０    洗面台
１１，２１，３１，４１    洗面台本体
１１Ａ，２１Ａ，３１Ａ，４１Ａ    箱状突出部
１２    鏡
１３    光源である白熱電球
１５，２５，３５，４５    遮蔽部材である前面カバー
２６，４６    反射部材
【図１】
2004173915.tif 000003
【図２】
2004173915.tif 000004
【図３】
2004173915.tif 000005
【図４】
2004173915.tif 000006
【図５】
2004173915.tif 000007
【図６】
2004173915.tif 000008